(57)【要約】信号送信方法、信号受信方法、および装置が提供される。この方法は、端末デバイスによって、第１のプリアンブルを搬送する第１のシンボルグループを生成するステップであって、第１のシンボルグループは、シンボルの４つのグループを含む、ステップと、端末デバイスによって、第１のシンボルグループをアップリンクサブフレームのＫ個のグループにおいてネットワークデバイスへ送信するステップであって、アップリンクサブフレームのＫ個のグループにおけるアップリンクサブフレームのどの２つのグループも隣り合っておらず、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である、ステップとを含む。
2020530239.tif 000002
【特許請求の範囲】
【請求項１】
端末デバイスによって、第１のプリアンブルを搬送する第１のシンボルグループを生成するステップであって、前記第１のシンボルグループは、シンボルの４つのグループを含む、ステップと、
前記端末デバイスによって、前記第１のシンボルグループをアップリンクサブフレームのＫ個のグループにおいてネットワークデバイスへ送信するステップであって、前記アップリンクサブフレームのＫ個のグループにおけるアップリンクサブフレームのどの２つのグループも隣り合っておらず、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、ステップと
を含む信号送信方法。
【請求項２】
前記端末デバイスによって、第２のシンボルグループを前記アップリンクサブフレームのＫ個のグループにおいて前記ネットワークデバイスへ送信するステップであって、前記第２のシンボルグループは、第２のプリアンブルを搬送するために使用される、ステップ
をさらに含む請求項１に記載の方法。
【請求項３】
前記第２のプリアンブルに対応する最初のサブキャリア番号と、前記第１のプリアンブルに対応する最初のサブキャリア番号との間における差は、プリセット値である請求項２に記載の方法。
【請求項４】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項２に記載の方法。
【請求項５】
ネットワークデバイスによって、アップリンクサブフレームのＫ個のグループにおいて端末デバイスによって送信された第１のシンボルグループを受信するステップであって、前記アップリンクサブフレームのＫ個のグループにおけるアップリンクサブフレームのどの２つのグループも隣り合っておらず、前記第１のシンボルグループは、第１のプリアンブルを搬送するために使用され、前記第１のシンボルグループは、シンボルの４つのグループを含み、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、ステップと、
前記ネットワークデバイスによって、前記第１のプリアンブルに基づいて前記端末上でアップリンク同期測定を実行するステップと
を含む信号受信方法。
【請求項６】
前記ネットワークデバイスによって、前記アップリンクサブフレームのＫ個のグループにおいて第２のシンボルグループを受信するステップであって、前記第２のシンボルグループは、第２のプリアンブルを搬送するために使用される、ステップ
をさらに含む請求項５に記載の方法。
【請求項７】
前記第２のプリアンブルに対応する最初のサブキャリア番号と、前記第１のプリアンブルに対応する最初のサブキャリア番号との間における差は、プリセット値である請求項６に記載の方法。
【請求項８】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項６に記載の方法。
【請求項９】
第１のプリアンブルを搬送する第１のシンボルグループを生成するように構成されている処理ユニットであって、前記第１のシンボルグループは、シンボルの４つのグループを含む、処理ユニットと、
前記処理ユニットによって生成された前記第１のシンボルグループをアップリンクサブフレームのＫ個のグループにおいてネットワークデバイスへ送信するように構成されているトランシーバユニットであって、前記アップリンクサブフレームのＫ個のグループにおけるアップリンクサブフレームのどの２つのグループも隣り合っておらず、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、トランシーバユニットと
を備える端末デバイス。
【請求項１０】
前記トランシーバユニットは、
第２のシンボルグループを前記アップリンクサブフレームのＫ個のグループにおいて前記ネットワークデバイスへ送信するようにさらに構成されており、前記第２のシンボルグループは、第２のプリアンブルを搬送するために使用される請求項９に記載の端末デバイス。
【請求項１１】
前記第２のプリアンブルに対応する最初のサブキャリア番号と、前記第１のプリアンブルに対応する最初のサブキャリア番号との間における差は、プリセット値である請求項１０に記載の端末デバイス。
【請求項１２】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項１０に記載の端末デバイス。
【請求項１３】
アップリンクサブフレームのＫ個のグループにおいて端末デバイスによって送信された第１のシンボルグループを受信するように構成されているトランシーバユニットであって、前記アップリンクサブフレームのＫ個のグループにおけるアップリンクサブフレームのどの２つのグループも隣り合っておらず、前記第１のシンボルグループは、第１のプリアンブルを搬送するために使用され、前記第１のシンボルグループは、シンボルの４つのグループを含み、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、トランシーバユニットと、
前記第１のプリアンブルに基づいて前記端末上でアップリンク同期測定を実行するように構成されている処理ユニットと
を備えるネットワークデバイス。
【請求項１４】
前記トランシーバユニットは、
前記アップリンクサブフレームのＫ個のグループにおいて第２のシンボルグループを受信するようにさらに構成されており、前記第２のシンボルグループは、第２のプリアンブルを搬送するために使用される請求項１３に記載のネットワークデバイス。
【請求項１５】
前記第２のプリアンブルに対応する最初のサブキャリア番号と、前記第１のプリアンブルに対応する最初のサブキャリア番号との間における差は、プリセット値である請求項１４に記載のネットワークデバイス。
【請求項１６】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項１４に記載のネットワークデバイス。
【請求項１７】
Ｋは２であり、
前記アップリンクサブフレームのＫ個のグループにおけるアップリンクサブフレームの各グループは、前記第１のシンボルグループにおけるシンボルの２つのグループを送信するために使用される請求項１乃至４のいずれか一項に記載の信号送信方法、請求項５乃至８のいずれか一項に記載の信号受信方法、請求項９乃至１２のいずれか一項に記載の端末デバイス、または請求項１３乃至１６のいずれか一項に記載のネットワークデバイス。
【請求項１８】
Ｋは４であり、
前記アップリンクサブフレームのＫ個のグループにおけるアップリンクサブフレームの各グループは、前記第１のシンボルグループにおけるシンボルの１つのグループを送信するために使用される請求項１乃至４のいずれか一項に記載の信号送信方法、請求項５乃至８のいずれか一項に記載の信号受信方法、請求項９乃至１２のいずれか一項に記載の端末デバイス、または請求項１３乃至１６のいずれか一項に記載のネットワークデバイス。
【請求項１９】
前記アップリンクサブフレームのＫ個のグループにおけるアップリンクサブフレームのいずれかのグループに含まれているアップリンクサブフレームは、無線フレームにおける最初の５ｍｓ内にある少なくとも１つのアップリンクサブフレーム、または無線フレームにおける最後の５ｍｓ内にある少なくとも１つのアップリンクサブフレームを含む請求項１乃至４のいずれか一項に記載の信号送信方法、請求項５乃至８のいずれか一項に記載の信号受信方法、請求項９乃至１２のいずれか一項に記載の端末デバイス、または請求項１３乃至１６のいずれか一項に記載のネットワークデバイス。
【請求項２０】
コンピュータ可読記憶媒体であって、前記コンピュータ可読記憶媒体は、コンピュータ可読命令を格納しており、前記コンピュータ可読命令がコンピュータによって読み取られ、実行されたときに、前記コンピュータは、請求項１乃至４および請求項１７乃至１９のいずれか一項に記載の方法を実行することを可能にされる、コンピュータ可読記憶媒体。
【請求項２１】
コンピュータ可読記憶媒体であって、前記コンピュータ可読記憶媒体は、コンピュータ可読命令を格納しており、前記コンピュータ可読命令がコンピュータによって読み取られ、実行されたときに、前記コンピュータは、請求項５乃至８および請求項１７乃至１９のいずれか一項に記載の方法を実行することを可能にされる、コンピュータ可読記憶媒体。
【発明の詳細な説明】
【技術分野】
【０００１】
本出願は、ワイヤレス通信技術の分野に関し、特に、信号送信方法、信号受信方法、および装置に関する。
【背景技術】
【０００２】
モバイル通信標準組織、すなわち、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、ナローバンドインターネットオブシングス（Ｎａｒｒｏｗｂａｎｄ  Ｉｎｔｅｒｎｅｔ  ｏｆ  Ｔｈｉｎｇｓ、ＮＢ−ＩＯＴ）技術を提案している。ＮＢ−ＩｏＴをサポートするデバイスは、データ伝送中に１８０ｋＨｚの帯域幅を有する周波数帯域を使用し、スタンドアロンモード（スタンドアロンオペレーション）、ガードバンドモード（ガードバンドオペレーション）、またはインバンドモード（インバンドオペレーション）での動作をサポートする。インバンドモードは、ＮＢ−ＩｏＴサービスデータを伝送するために、ロングタームエボリューション（Ｌｏｎｇ  Ｔｅｒｍ  Ｅｖｏｌｕｔｉｏｎ、ＬＴＥ）システムにおいて、１つのキャリアにおける１つまたは複数のリソースブロックが使用されるということを意味する。１つのリソースブロックの帯域幅は、１８０ｋＨｚである。
【０００３】
ＬＴＥと同様に、ＮＢ−ＩＯＴ技術は、時分割複信（ｔｉｍｅ  ｄｉｖｉｓｉｏｎ  ｄｕｐｌｅｘ、ＴＤＤ）ＮＢ−ＩｏＴおよび周波数分割複信（ｆｒｅｑｕｅｎｃｙ  ｄｉｖｉｓｉｏｎ  ｄｕｐｌｅｘ、ＦＤＤ）ＮＢ−ＩｏＴを含む。ＮＢ−ＩＯＴ技術においては、端末デバイスは、ランダムアクセス様式で基地局にアクセスする必要がある。ＦＤＤ  ＮＢ−ＩｏＴにおいては、端末デバイスは、ナローバンド物理ランダムアクセスチャネル（Ｎａｒｒｏｗｂａｎｄ  Ｐｈｙｓｉｃａｌ  Ｒａｎｄｏｍ  Ａｃｃｅｓｓ  Ｃｈａｎｎｅｌ、ＮＰＲＡＣＨ）上でランダムアクセスプリアンブル（ｐｒｅａｍｂｌｅ）を送信する必要がある。１つのプリアンブルは、１つまたは複数の繰り返されるユニットを含み、それぞれの繰り返されるユニットは、シンボルの４つのグループを含み、シンボルの各グループは、少なくとも１．４ｍｓの長さを有する。具体的には、１つのプリアンブルによって占められている連続したアップリンクリソースは、少なくとも５．６ｍｓの時間長さを有する。しかしながら、展開のためにインバンドモードが使用されるＴＤＤ  ＮＢ−ＩｏＴに関しては、連続したアップリンクリソースは、多くとも３つのサブフレーム（具体的には、３ｍｓ）の時間長さを有する。したがって、端末デバイスは、３つのサブフレームにおいてプリアンブルをネットワークデバイスへ送信することができない。結論として、ＴＤＤ  ＮＢ−ＩｏＴにおいては、どのようにして端末デバイスがプリアンブルを送信するかが、緊急に解決されるべき問題である。
【発明の概要】
【発明が解決しようとする課題】
【０００４】
本出願の実施形態の目的は、ＴＤＤ  ＮＢ−ＩＯＴにおいて端末デバイスがプリアンブル送信ができないという問題を解決するための信号送信方法および信号送信装置、ならびに信号受信方法および信号受信装置を提供することである。
【課題を解決するための手段】
【０００５】
第１の態様によれば、本出願の一実施形態は、
端末デバイスによって、第１のプリアンブルを搬送する第１のシンボルグループを生成するステップであって、第１のシンボルグループは、シンボルの４つのグループを含む、ステップと、端末デバイスによって、第１のシンボルグループをアップリンクサブフレームのＫ個のグループにおいてネットワークデバイスへ送信するステップであって、アップリンクサブフレームのＫ個のグループにおけるアップリンクサブフレームのどの２つのグループも隣り合っておらず、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である、ステップとを含む信号送信方法を提供する。
【０００６】
前述の方法によれば、端末デバイスは、第１のプリアンブルをアップリンクサブフレームのＫ個のグループにおいてネットワークデバイスへ送信して、ＴＤＤ  ＮＢ−ＩｏＴにおいて、端末デバイスのハードウェア構造を変更することなくアップリンクサブフレームのＫ個のグループにおいてプリアンブルを伝送する。たとえ端末デバイスがＴＤＤ  ＮＢ−ＩｏＴにおいてインバンドモードで動作していても、端末デバイスは依然として、アップリンクサブフレームのＫ個のグループに分散されているアップリンクリソースを使用することによってプリアンブルを伝送して、既存のプリアンブル信号構造を最大限に保持し得、それによって、ＴＤＤ／ＦＤＤ  ＮＢ−ＩｏＴをサポートするデュアルモードの端末デバイスは、伝送装置の同じセットを使用することによってプリアンブル信号を送信することが可能であり、それにより、ＴＤＤ／ＦＤＤ  ＮＢ−ＩｏＴをサポートする必要があるデュアルモードの端末デバイスのコストを低減する。
【０００７】
任意選択の実装においては、Ｋは２であり、アップリンクサブフレームのＫ個のグループにおけるアップリンクサブフレームの各グループは、第１のシンボルグループにおけるシンボルの２つのグループを送信するために使用される。
【０００８】
前述の方法においては、第１のシンボルグループは、アップリンクサブフレームの２つのグループにおいて送信され、それによって第１のプリアンブルの送信ピリオドは、可能な限り低減されることが可能であり、それにより、第１のプリアンブルの待ち時間を低減し、システムを改善する。
【０００９】
任意選択の実装においては、Ｋは４であり、アップリンクサブフレームのＫ個のグループにおけるアップリンクサブフレームの各グループは、第１のシンボルグループにおけるシンボルの１つのグループを送信するために使用される。
【００１０】
前述の解決策においては、第１のプリアンブルを搬送する第１のシンボルグループは、アップリンクサブフレームの４つのグループにおいて送信され、それによってプリアンブルは、既存のプリアンブル信号構造が保持されている間に送信されることが可能であり、ネットワークデバイスは、ＴＤＤ  ＮＢ−ＩｏＴにおいてプリアンブル送信が可能であり、それにより、ＴＤＤ  ＮＢ−ＩｏＴとＴＤＤ  ＬＴＥシステムとの間における互換性を改善する。
【００１１】
任意選択の実装においては、この方法は、端末デバイスによって、第２のシンボルグループをアップリンクサブフレームのＫ個のグループにおいてネットワークデバイスへ送信するステップであって、第２のシンボルグループは、第２のプリアンブルを搬送するために使用される、ステップをさらに含む。
【００１２】
前述の方法においては、端末デバイスは、２つのプリアンブルを同時に送信して、アップリンク同期化のパフォーマンス上での周波数オフセットおよびドップラー周波数シフトのインパクトを低減し、アップリンク同期化の精度を改善する。
【００１３】
任意選択の実装においては、第２のプリアンブルに対応する最初のサブキャリア番号と、第１のプリアンブルに対応する最初のサブキャリア番号との間における差は、プリセット値である。
【００１４】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【００１５】
第２の態様によれば、本出願の一実施形態は、端末デバイスを提供し、この端末デバイスは、メモリ、トランシーバ、およびプロセッサを含む。メモリは、命令を格納するように構成されている。プロセッサは、メモリに格納されている命令を実行するように、ならびに信号を受信および送信するようトランシーバを制御するように構成されている。メモリに格納されている命令をプロセッサが実行したときに、端末デバイスは、第１の態様または第１の態様の可能な設計のうちのいずれか１つにおける方法を実行するように構成されている。
【００１６】
第３の態様によれば、本出願の一実施形態は、第１の態様または第１の態様の可能な設計におけるいずれかの方法を実施するように構成されている端末デバイスを提供する。この端末デバイスは、前述の方法におけるステップを実施するようにそれぞれ構成されている対応する機能モジュールを含み、たとえば、処理ユニット、トランシーバユニット、処理ユニットなどを含む。
【００１７】
第４の態様によれば、本出願の一実施形態は、コンピュータ可読記憶媒体を提供し、このコンピュータ可読記憶媒体は、コンピュータ可読命令を格納しており、そのコンピュータ可読命令がコンピュータによって読み取られ、実行されたときに、そのコンピュータは、第１の態様または第１の態様の可能な設計のうちのいずれか１つにおける方法を実行することを可能にされる。
【００１８】
第５の態様によれば、本出願の一実施形態は、コンピュータプログラム製品を提供し、このコンピュータプログラム製品がコンピュータによって読み取られ、実行されたときに、そのコンピュータは、第１の態様または第１の態様の可能な設計のうちのいずれか１つにおける方法を実行することを可能にされる。
【００１９】
第６の態様によれば、本出願の一実施形態は、チップを提供し、このチップは、メモリに接続されており、そのメモリに格納されているソフトウェアプログラムを読み取り、実行して、第１の態様または第１の態様の可能な設計のうちのいずれか１つにおける方法を実施するように構成されている。
【００２０】
第７の態様によれば、本出願の一実施形態は、
ネットワークデバイスによって、アップリンクサブフレームのＫ個のグループにおいて端末デバイスによって送信された第１のシンボルグループを受信するステップであって、アップリンクサブフレームのＫ個のグループにおけるアップリンクサブフレームのどの２つのグループも隣り合っておらず、第１のシンボルグループは、第１のプリアンブルを搬送するために使用され、第１のシンボルグループは、シンボルの４つのグループを含み、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である、ステップと、
ネットワークデバイスによって、ランダムアクセス応答を端末デバイスへ送信するステップとを含む信号受信方法を提供する。
【００２１】
任意選択の実装においては、Ｋは２であり、
アップリンクサブフレームのＫ個のグループにおけるアップリンクサブフレームの各グループは、第１のシンボルグループにおけるシンボルの２つのグループを送信するために使用される。
【００２２】
任意選択の実装においては、Ｋは４であり、
アップリンクサブフレームのＫ個のグループにおけるアップリンクサブフレームの各グループは、第１のシンボルグループにおけるシンボルの１つのグループを送信するために使用される。
【００２３】
任意選択の実装においては、この方法は、
ネットワークデバイスによって、アップリンクサブフレームのＫ個のグループにおいて第２のシンボルグループを受信するステップであって、第２のシンボルグループは、第２のプリアンブルを搬送するために使用される、ステップをさらに含む。
【００２４】
任意選択の実装においては、第２のプリアンブルに対応する最初のサブキャリア番号と、第１のプリアンブルに対応する最初のサブキャリア番号との間における差は、プリセット値である。
【００２５】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【００２６】
第８の態様によれば、本出願の一実施形態は、ネットワークデバイスを提供し、このネットワークデバイスは、メモリ、トランシーバ、およびプロセッサを含む。メモリは、命令を格納するように構成されている。プロセッサは、メモリに格納されている命令を実行するように、ならびに信号を受信および送信するようトランシーバを制御するように構成されており、メモリに格納されている命令をプロセッサが実行したときに、ネットワークデバイスは、第７の態様または第７の態様の可能な設計のうちのいずれか１つにおける方法を実行するように構成されている。
【００２７】
第９の態様によれば、本出願の一実施形態は、第７の態様または第７の態様の可能な設計のうちのいずれか１つにおける方法を実施するように構成されているネットワークデバイスを提供する。このネットワークデバイスは、前述の方法におけるステップを実施するようにそれぞれ構成されている対応する機能モジュールを含み、たとえば、処理ユニット、トランシーバユニット、処理ユニットなどを含む。
【００２８】
第１０の態様によれば、本出願の一実施形態は、コンピュータ可読記憶媒体を提供し、このコンピュータ可読記憶媒体は、コンピュータ可読命令を格納しており、そのコンピュータ可読命令がコンピュータによって読み取られ、実行されたときに、そのコンピュータは、第７の態様または第７の態様の可能な設計のうちのいずれか１つにおける方法を実行することを可能にされる。
【００２９】
第１１の態様によれば、本出願の一実施形態は、コンピュータプログラム製品を提供し、このコンピュータプログラム製品がコンピュータによって読み取られ、実行されたときに、そのコンピュータは、第７の態様または第７の態様の可能な設計のうちのいずれか１つにおける方法を実行することを可能にされる。
【００３０】
第１２の態様によれば、本出願の一実施形態は、チップを提供し、このチップは、メモリに接続されており、そのメモリに格納されているソフトウェアプログラムを読み取って実行して、第７の態様または第７の態様の可能な設計のうちのいずれか１つにおける方法を実施するように構成されている。
【図面の簡単な説明】
【００３１】
【図１】本出願の一実施形態に適用可能なシステムアーキテクチャーの例の概略図である。
【図２】本出願の一実施形態による帯域幅の概略図である。
【図３】本出願の一実施形態による帯域幅の概略図である。
【図４】本出願の一実施形態による信号送信方法の概略フローチャートである。
【図５】本出願の一実施形態によるシンボルの概略図である。
【図６】本出願の一実施形態による、プリアンブル送信の概略図である。
【図７】本出願の一実施形態による、プリアンブル送信の概略図である。
【図８】本出願の一実施形態による、プリアンブル送信の概略図である。
【図９】本出願の一実施形態による、プリアンブルの周波数ホッピングの概略図である。
【図１０】本出願の一実施形態による、プリアンブル送信の概略図である。
【図１１】本出願の一実施形態による端末デバイスの概略構造図である。
【図１２】本出願の一実施形態による端末デバイスの概略構造図である。
【図１３】本出願の一実施形態によるネットワークデバイスの概略構造図である。
【図１４】本出願の一実施形態によるネットワークデバイスの概略構造図である。
【発明を実施するための形態】
【００３２】
以下では、添付の図面を参照しながら、本出願の実施形態の技術的な解決策についてさらに詳述する。
【００３３】
本出願の実施形態は、さまざまなモバイル通信システム、たとえば、新無線（Ｎｅｗ  Ｒａｄｉｏ、ＮＲ）システム、グローバルシステムフォーモバイルコミュニケーションズ（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、アドバンストロングタームエボリューション（Ａｄｖａｎｃｅｄ  ｌｏｎｇ  ｔｅｒｍ  ｅｖｏｌｕｔｉｏｎ、ＬＴＥ−Ａ）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、および進化型ロングタームエボリューション（ｅｖｏｌｖｅｄ  Ｌｏｎｇ  Ｔｅｒｍ  Ｅｖｏｌｕｔｉｏｎ、ｅＬＴＥ）システムなどのモバイル通信システムに適用され得る。
【００３４】
図１は、本出願の実施形態に適用可能なシステムアーキテクチャーの概略図である。図１において示されているように、ネットワークデバイスおよび端末デバイス１から６が、通信システムを構成している。この通信システムにおいては、ネットワークデバイスが、端末デバイス１から６のうちの１つまたは複数へ情報を送信する。加えて、端末デバイス４から６も、通信システムを構成している。この通信システムにおいては、端末デバイス５が、端末デバイス４および端末デバイス６のうちの一方または両方へ情報を送信し得る。
【００３５】
本出願のこの実施形態においては、端末デバイスが、ネットワークデバイスを使用することによってコアネットワークと通信し得る。端末デバイスは、ユーザ機器（Ｕｓｅｒ  Ｅｑｕｉｐｍｅｎｔ、ＵＥ）、アクセス端末デバイス、サブスクライバーユニット、サブスクライバーステーション、移動局、モバイルコンソール、リモートステーション、リモート端末デバイス、モバイルデバイス、ユーザ端末デバイス、端末デバイス、ワイヤレス通信デバイス、ユーザエージェント、またはユーザ装置であり得る。アクセス端末デバイスは、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続されている別の処理デバイス、車載デバイス、ウェアラブルデバイス、将来の５Ｇネットワークにおける端末デバイスなどであり得る。
【００３６】
ネットワークデバイスは、無線アクセスネットワーク（Ｒａｄｉｏ  Ａｃｃｅｓｓ  Ｎｅｔｗｏｒｋ、ＲＡＮ）デバイスと呼ばれ得、以降ではネットワークデバイスと総称される。ネットワークデバイスは、端末デバイスのアップリンクおよびダウンリンクデータの信頼できる伝送を確実にするために端末デバイスのためのワイヤレス接続を提供することを主として担当する。ネットワークデバイスは、５ＧシステムにおけるｇＮＢ（ｇｅｎｅｒａｔｉｏｎ  Ｎｏｄｅ  Ｂ）であり得、またはグローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システムもしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）におけるベーストランシーバステーション（Ｂａｓｅ  Ｔｒａｎｓｃｅｉｖｅｒ  Ｓｔａｔｉｏｎ、ＢＴＳ）であり得、またはワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるノードＢ（ＮｏｄｅＢ、ＮＢ）であり得、またはロングタームエボリューション（Ｌｏｎｇ  Ｔｅｒｍ  Ｅｖｏｌｕｔｉｏｎ、ＬＴＥ）システムにおける進化型ノードＢ（Ｅｖｏｌｕｔｉｏｎａｌ  Ｎｏｄｅ  Ｂ、ｅＮＢ、もしくはｅＮｏｄｅＢ）などであり得る。
【００３７】
本出願のこの実施形態においては、端末デバイスは、スタンドアロンモード、ガードバンドモード、およびインバンドモードのうちのいずれか１つで動作し得、前述のモードのうちのいずれか１つで動作しているときにプリアンブルをネットワークデバイスへ送信し得る。スタンドアロンモードで動作しているときに、端末デバイスは、ＧＳＭネットワークにおける１つまたは複数のキャリア上でＮＢ−ＩｏＴサービスデータを伝送し得、この場合、独立したキャリアの帯域幅は１８０ｋＨｚである。
【００３８】
インバンドモードで動作しているときに、端末デバイスは、ＬＴＥシステムにおける１つのキャリア上の１つまたは複数のリソースブロック上でＮＢ−ＩｏＴサービスデータを伝送し得、この場合、１つのリソースブロックの帯域幅は１８０ｋＨｚである。詳細は、図２において示され得る。図２においては、ＬＴＥにおける１つのキャリアが複数のリソースブロックへと分割され得、それぞれのリソースブロックの帯域幅は１８０ｋＨｚであり、ＮＢ−ＩｏＴにおける端末デバイスは、リソースブロックのうちの１つまたは複数を使用することによってＮＢ−ＩｏＴサービスデータを伝送し得る。
【００３９】
ガードバンドモードで動作しているときに、端末デバイスは、ＬＴＥシステムにおけるキャリアのガードバンドにおいてＮＢ−ＩｏＴサービスデータを伝送し得、この場合、ガードバンドによって占められる帯域幅は１８０ｋＨｚである。詳細は、図３において示され得る。図３においては、ＮＢ−ＩｏＴにおける端末デバイスが、ＬＴＥにおけるキャリアのガード帯域幅を使用することによってＮＢ−ＩｏＴサービスデータを伝送し得る。
【００４０】
前述の説明に関連して、図４は、本出願の実施形態による信号送信方法の概略フローチャートである。図４を参照すると、この方法は下記のステップを含む。
【００４１】
ステップ４０１：  端末デバイスが、第１のプリアンブルを搬送する第１のシンボルグループを生成し、第１のシンボルグループは、シンボルの４つのグループを含む。
【００４２】
ステップ４０２：  端末デバイスは、第１のシンボルグループをアップリンクサブフレームのＫ個のグループにおいてネットワークデバイスへ送信し、アップリンクサブフレームのＫ個のグループにおけるアップリンクサブフレームのどの２つのグループも隣り合っておらず、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である。
【００４３】
アップリンクサブフレームのＫ個のグループにおけるアップリンクサブフレームのどの２つのグループも隣り合っていない。言い換えれば、アップリンクサブフレームのＫ個のグループにおけるアップリンクサブフレームのどの２つのグループも、時間の点で不連続である。
【００４４】
ステップ４０３：  ネットワークデバイスは、アップリンクサブフレームのＫ個のグループにおいて端末デバイスによって送信された第１のシンボルグループを受信する。
【００４５】
ステップ４０４：  ネットワークデバイスは、第１のプリアンブルに基づいて端末上でアップリンク同期測定を実行する。
【００４６】
ステップ４０１においては、第１のプリアンブルは、利用可能なプリアンブルから端末デバイスによってランダムに選択され得、またはネットワークデバイスによって端末デバイス用に指定されたプリアンブルであり得る。これは、本出願のこの実施形態においては限定されない。
【００４７】
第１のシンボルグループにおけるシンボルの各グループは、サイクリックプレフィックスおよび５つのシンボルを含む。詳細に関しては、図５を参照されたい。図５においては、シンボルのグループの最初の部分は、サイクリックプレフィックスであり、サイクリックプレフィックスは、６６．７μｓまたは２６６．６７μｓの時間長さを有しており、サイクリックプレフィックスは、プリアンブルを伝送するために使用される５つのシンボルによって後続されており、それぞれのシンボルは、２６６．６７μｓの時間長さを有している。それぞれのプリアンブルは、シンボルの４つのグループを必要とする。
【００４８】
本出願の実施形態において記述されているシンボルは、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル、疎コード多重アクセス（Ｓｐａｒｓｅ  Ｃｏｄｅ  Ｍｕｌｔｉｐｌｅｘｉｎｇ  Ａｃｃｅｓｓ、ＳＣＭＡ）シンボル、フィルタリングされた直交周波数分割多重化（Ｆｉｌｔｅｒｅｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、Ｆ−ＯＦＤＭ）シンボル、および非直交多重アクセス（Ｎｏｎ−Ｏｒｔｈｏｇｏｎａｌ  Ｍｕｌｔｉｐｌｅ  Ａｃｃｅｓｓ、ＮＯＭＡ）シンボルを含むが、それらには限定されないということに留意されたい。シンボルは、実際の状況に基づいて具体的に決定され得、本明細書では詳細は記述されない。
【００４９】
ステップ４０２において、アップリンクサブフレームのＫ個のグループは、同じ無線フレームに配置され得る。もちろん、アップリンクサブフレームのＫ個のグループは、同じ無線フレームに配置されなくてもよい。
【００５０】
本出願のこの実施形態においては、アップリンクサブフレームのＫ個のグループにおけるアップリンクサブフレームの各グループは、少なくとも１つのアップリンクサブフレームを含み、その少なくとも１つのアップリンクサブフレームは、連続したサブフレームである。連続したサブフレームとは、最初のサブフレームおよび最後のサブフレームが時間の点で連続しているということを意味する。たとえば、１つの無線フレームが、１０個のサブフレームを含み、その無線フレームに含まれている１０個のサブフレームは、時間の点で連続しており、１０個の連続したサブフレームとみなされ得る。本出願のこの実施形態においては、ＮＢ−ＩＯＴ技術は、ＬＴＥシステムとの互換性を有する必要がある。したがって、ＮＢ−ＩＯＴ技術において使用されるサブフレームは、ＬＴＥシステムにおいて定義されているサブフレームであり得る。
【００５１】
現在、ＴＤＤ  ＬＴＥシステムは、７つのアップリンク／ダウンリンク構成（Uplink-downlink configuration）を有しており、それらはそれぞれ、アップリンク／ダウンリンク構成０からアップリンク／ダウンリンク構成６である。ダウンリンク信号を伝送するためのサブフレームは、ダウンリンクサブフレームであり、Ｄによって表される。アップリンク信号を伝送するためのサブフレームは、アップリンクサブフレームであり、Ｕによって表される。ダウンリンクサブフレームおよびアップリンクサブフレームは、スペシャルサブフレームによって隔てられ、スペシャルサブフレームは、Ｓによって表される。７つのアップリンク／ダウンリンク構成の具体的な内容に関しては、表１を参照されたい。
【００５２】
【表１】
2020530239.tif 000003
【００５３】
表１を参照すると、ＮＢ−ＩＯＴ技術においては、プリアンブルを送信するために端末デバイスによって使用されるアップリンクサブフレームのＫ個のグループにおいて、アップリンクサブフレームの各グループは、１つのアップリンクサブフレームを含み得、または２つの連続したアップリンクサブフレームを含み得、または３つの連続したアップリンクサブフレームを含み得る。
【００５４】
アップリンクサブフレームのＫ個のグループにおけるアップリンクサブフレームのグループは、第１のシンボルグループにおけるシンボルの少なくとも１つのグループを送信するために使用されるということに留意されたい。アップリンクサブフレームのＫ個のグループにおけるアップリンクサブフレームのグループが１つのアップリンクサブフレームを含む場合には、端末デバイスがアップリンクサブフレームのそのグループにおいて第１のシンボルグループにおけるシンボルのグループを送信することを可能にするために、サブキャリアスペーシングがシンボルの時間長さに反比例するという特徴に基づいて、シンボルの時間長さを低減するためにアップリンクサブフレームのそのグループのサブキャリアスペーシングが増大され得る。したがって、アップリンクサブフレームのそのグループにおいて、より多くのシンボルが伝送される。たとえば、アップリンクサブフレームのそのグループのサブキャリアスペーシングは、１５ｋＨｚから３０ｋＨｚへ調整され、それによって、アップリンクサブフレームのそのグループにおけるそれぞれのアップリンクサブフレームにおいて伝送されるシンボルの数は、１４から２８へ増大する。もちろん、シンボルのグループにおけるシンボル同士は、代替として分割され得る。たとえば、アップリンクサブフレームのグループにおいて、第１のシンボルグループにおけるシンボルのグループにおける最初の４つのシンボルのみが送信され、シンボルのそのグループにおける最後のシンボルおよびシンボルの別のグループが、アップリンクサブフレームの別のグループにおいて送信される。
【００５５】
本出願のこの実施形態においては、アップリンクサブフレームのＫ個のグループにおけるアップリンクサブフレームのいずれかのグループに含まれているアップリンクサブフレームは、無線フレームの最初の５ｍｓ内に含まれている少なくとも１つのアップリンクサブフレーム、または無線フレームの最後の５ｍｓ内に含まれている少なくとも１つのアップリンクサブフレームを含む。表１を参照すると、たとえば、無線フレームのアップリンク／ダウンリンク構成タイプは、アップリンク／ダウンリンク構成０であり、無線フレームの最初の５ｍｓ内にあるアップリンクサブフレームは、サブフレーム２、サブフレーム３、およびサブフレーム４であり、アップリンクサブフレームのＫ個のグループにおけるアップリンクサブフレームのどのグループに関しても、アップリンクサブフレームのグループは、サブフレーム２を無線フレームに含み得、もしくはサブフレーム２およびサブフレーム３を無線フレームに含み得、またはサブフレーム２、サブフレーム３、およびサブフレーム４を無線フレームに含み得る。
【００５６】
別の例に関しては、無線フレームのアップリンク／ダウンリンク構成タイプは、アップリンク／ダウンリンク構成１であり、無線フレームの最後の５ｍｓ内にあるアップリンクサブフレームは、サブフレーム７およびサブフレーム８であり、アップリンクサブフレームのＫ個のグループにおけるアップリンクサブフレームのどのグループに関しても、アップリンクサブフレームのグループは、サブフレーム７を無線フレームに含み得、またはサブフレーム７およびサブフレーム８を無線フレームに含み得る。
【００５７】
本出願のこの実施形態においては、Ｋは、２、３、または４であり得、個別の説明が以降で提供される。
【００５８】
第１のケースにおいては、Ｋは２である。
【００５９】
このケースにおいては、アップリンクサブフレームのＫ個のグループにおけるアップリンクサブフレームの各グループは、第１のシンボルグループにおけるシンボルの２つのグループを送信するために使用され得、またはアップリンクサブフレームのＫ個のグループにおけるアップリンクサブフレームの一方のグループは、第１のシンボルグループにおけるシンボルの３つのグループを送信するために使用され得、アップリンクサブフレームの他方のグループは、第１のシンボルグループのシンボルの１つのグループを送信するために使用され得、それによって、第１のシンボルグループのシンボルの４つのグループが、アップリンクサブフレームのＫ個のグループにおいて送信される。
【００６０】
具体的には、図６は、本出願の実施形態による、プリアンブル送信の概略図である。
【００６１】
図６においては、第１のプリアンブルを搬送する第１のシンボルグループが、シンボルの第１のグループ、シンボルの第２のグループ、シンボルの第３のグループ、およびシンボルの第４のグループを含む。Ｋが２である場合に、アップリンクサブフレームのＫ個のグループは、アップリンクサブフレームの第１のグループおよびアップリンクサブフレームの第２のグループを含み、アップリンクサブフレームのＫ個のグループは、同じ無線フレームに配置され得、アップリンクサブフレームのＫ個のグループにおけるアップリンクサブフレームの各グループは、３つの連続したアップリンクサブフレームを含む。アップリンクサブフレームのＫ個のグループにおけるアップリンクサブフレームの第１のグループは、シンボルの第１のグループおよびシンボルの第２のグループを送信するために使用され、アップリンクサブフレームのＫ個のグループにおけるアップリンクサブフレームの第２のグループは、シンボルの第３のグループ、およびシンボルの第４のグループを送信するために使用される。
【００６２】
１つのプリアンブルは、複数回にわたって繰り返し送信され得るということに留意されたい。図６を参照すると、端末デバイスは、１つの無線フレームの時間長さをピリオドとして使用することによって図６における様式で複数回にわたってプリアンブルを繰り返し送信し得る。
【００６３】
第２のケースにおいては、Ｋは３である。
【００６４】
このケースにおいては、アップリンクサブフレームのＫ個のグループにおいて、アップリンクサブフレームの１つのグループは、第１のシンボルグループにおけるシンボルの２つのグループを送信するために使用され得、アップリンクサブフレームのその他の２つのグループにおけるアップリンクサブフレームの各グループは、第１のシンボルグループにおけるシンボルの１つのグループを送信するために使用され得る。
【００６５】
具体的には、図７は、本出願の実施形態による、プリアンブル送信の概略図である。
【００６６】
図７においては、第１のプリアンブルを搬送する第１のシンボルグループが、シンボルの第１のグループ、シンボルの第２のグループ、シンボルの第３のグループ、およびシンボルの第４のグループを含む。Ｋが３である場合に、アップリンクサブフレームのＫ個のグループは、アップリンクサブフレームの第１のグループ、アップリンクサブフレームの第２のグループ、およびアップリンクサブフレームの第３のグループを含み、アップリンクサブフレームのＫ個のグループは、２つの無線フレームに配置され、アップリンクサブフレームのＫ個のグループにおけるアップリンクサブフレームの各グループは、３つの連続したアップリンクサブフレームを含む。アップリンクサブフレームのＫ個のグループにおけるアップリンクサブフレームの第１のグループは、シンボルの第１のグループおよびシンボルの第２のグループを送信するために使用され、アップリンクサブフレームのＫ個のグループにおけるアップリンクサブフレームの第２のグループは、シンボルの第３のグループを送信するために使用され、アップリンクサブフレームのＫ個のグループにおけるアップリンクサブフレームの第３のグループは、シンボルの第４のグループを送信するために使用される。
【００６７】
１つのプリアンブルは、複数回にわたって繰り返し送信され得るということに留意されたい。図７を参照すると、端末デバイスは、２つの無線フレームの時間長さをピリオドとして使用することによって図７における様式で複数回にわたってプリアンブルを繰り返し送信し得る。
【００６８】
第３のケースにおいては、Ｋは４である。
【００６９】
このケースにおいては、アップリンクサブフレームのＫ個のグループにおけるアップリンクサブフレームの各グループは、第１のシンボルグループにおけるシンボルの１つのグループを送信するために使用される。
【００７０】
具体的には、図８は、本出願の実施形態による、プリアンブル送信の概略図である。
【００７１】
図８においては、第１のプリアンブルを搬送する第１のシンボルグループが、シンボルの第１のグループ、シンボルの第２のグループ、シンボルの第３のグループ、およびシンボルの第４のグループを含む。Ｋが８である場合に、アップリンクサブフレームのＫ個のグループは、アップリンクサブフレームの第１のグループ、アップリンクサブフレームの第２のグループ、アップリンクサブフレームの第３のグループ、およびアップリンクサブフレームの第４のグループを含み、アップリンクサブフレームのＫ個のグループは、２つの無線フレームに配置され、アップリンクサブフレームのＫ個のグループにおけるアップリンクサブフレームの各グループは、３つの連続したアップリンクサブフレームを含む。アップリンクサブフレームのＫ個のグループにおけるアップリンクサブフレームの第１のグループは、シンボルの第１のグループを送信するために使用され、アップリンクサブフレームのＫ個のグループにおけるアップリンクサブフレームの第２のグループは、シンボルの第２のグループを送信するために使用され、アップリンクサブフレームのＫ個のグループにおけるアップリンクサブフレームの第３のグループは、シンボルの第３のグループを送信するために使用され、アップリンクサブフレームのＫ個のグループにおけるアップリンクサブフレームの第４のグループは、シンボルの第４のグループを送信するために使用される。
【００７２】
１つのプリアンブルは、複数回にわたって繰り返し送信され得るということに留意されたい。図８を参照すると、端末デバイスは、２つの無線フレームの時間長さをピリオドとして使用することによって図８における様式で複数回にわたってプリアンブルを繰り返し送信し得る。
【００７３】
本出願のこの実施形態においては、プリアンブルを搬送するシンボルの４つのグループが周波数ホッピングを通じてＰＲＡＣＨ上で伝送されるということに留意されたい。具体的には、図９は、本出願の実施形態による、プリアンブルの周波数ホッピングの概略図である。図９においては、それぞれのプリアンブルの伝送ピリオドにおいて、プリアンブルを搬送するシンボルの４つのグループが、グレーの長方形および数字を使用することによって表されており、時系列で１、２、３、および４として示されている。プリアンブルは、１つの送信ピリオド内でＰＲＡＣＨ上に２つの周波数ホッピング間隔を有しており、それらは、それぞれ３．７５ｋＨｚおよび２２．５ｋＨｚである。周波数ホッピング間隔は、サブキャリア帯域幅の整数倍であり、最小の周波数ホッピング間隔およびサブキャリア帯域幅は、同じである。シンボルの第１のグループとシンボルの第２のグループとの間における周波数ホッピング間隔は、３．７５ｋＨｚであり、シンボルの第３のグループとシンボルの第４のグループとの間における周波数ホッピング間隔は、２２．５ｋＨｚである。シンボルの第２のグループとシンボルの第３のグループとの間における周波数ホッピング間隔は、２２．５ｋＨｚである。２つの隣り合っている送信ピリオドの間において疑似ランダム周波数ホッピングが使用され、周波数ホッピング範囲は、１２個のサブキャリアに限定される。
【００７４】
任意選択で、本出願のこの実施形態においては、端末デバイスが、複数のプリアンブルを同時に送信し得る。たとえば、端末デバイスは、プリアンブルセットから２つのプリアンブルをランダムに選択し得、選択された２つのプリアンブルをアップリンクサブフレームのＫ個のグループにおいて送信し得る。それらのプリアンブルを搬送するシンボルグループのサブキャリア同士は異なる。
【００７５】
前述の説明に関連して、端末デバイスは、第２のシンボルグループをアップリンクサブフレームのＫ個のグループにおいてネットワークデバイスへ送信し得、第２のシンボルグループは、第２のプリアンブルを搬送するために使用される。同様に、第２のシンボルグループも、シンボルの４つのグループを含む。詳細に関しては、第１のシンボルグループの説明を参照されたく、詳細が本明細書で再び記述されることはない。
【００７６】
本出願のこの実施形態においては、第２のプリアンブルに対応する最初のサブキャリア番号と、第１のプリアンブルに対応する最初のサブキャリア番号との間における差は、プリセット値であり得る。それぞれのプリアンブルに対応する最初のサブキャリア番号は、プリアンブルを一意に決定し得る。したがって、第１のプリアンブルを決定した後に、端末デバイスは、第２のプリアンブルを一意に決定し得る。プリセット値は、実際の状況に基づいて決定され得、本明細書では詳細は記述されない。
【００７７】
第２のプリアンブルはまた、第１のプリアンブルとは異なり、プリアンブルセットから端末デバイスによってランダムに選択されるプリアンブルであり得、プリアンブルセットは、少なくとも２つのプリアンブルを含み、プリアンブルセットにおけるプリアンブルは、ネットワークデバイスによって端末デバイス用に構成されている。プリアンブルセットにおけるプリアンブルは、端末デバイスのすべての任意選択のプリアンブルの全般的なセットであり得、またはネットワークデバイスによって構成されているすべてのプリアンブルを含むセットのサブセットであり得、たとえば、プリアンブルセットに含まれているプリアンブルは、それらのプリアンブルに対応する最初のサブキャリア番号と、第１のプリアンブルに対応する最初のサブキャリア番号との間における差がプリセットしきい値以上であるすべてのプリアンブルである。
【００７８】
図１０は、本出願の実施形態による、プリアンブル送信の概略図である。図１０においては、Ｋが２である場合に、アップリンクサブフレームのＫ個のグループは、アップリンクサブフレームの第１のグループおよびアップリンクサブフレームの第２のグループを含み、アップリンクサブフレームのＫ個のグループは、同じ無線フレームに配置され得、アップリンクサブフレームのＫ個のグループにおけるアップリンクサブフレームの各グループは、３つの連続したアップリンクサブフレームを含む。第１のプリアンブルを搬送する第１のシンボルグループが、シンボルの第１のグループ、シンボルの第２のグループ、シンボルの第３のグループ、およびシンボルの第４のグループを含む。アップリンクサブフレームのＫ個のグループにおけるアップリンクサブフレームの第１のグループは、第１のプリアンブルを搬送する第１のシンボルグループにおけるシンボルの最初の２つのグループ、および第２のプリアンブルを搬送する第２のシンボルグループにおけるシンボルの最初の２つのグループを送信するために使用され、アップリンクサブフレームのＫ個のグループにおけるアップリンクサブフレームの第２のグループは、第１のプリアンブルを搬送する第１のシンボルグループにおけるシンボルの最後の２つのグループ、および第２のプリアンブルを搬送する第２のシンボルグループにおけるシンボルの最後の２つのグループを送信するために使用される。第１のシンボルグループにおけるシンボル、および第２のシンボルグループにおけるシンボルは、伝送中に別々のサブキャリア上に配置される。
【００７９】
１つのプリアンブルは、複数回にわたって繰り返し送信され得るということに留意されたい。図１０を参照すると、端末デバイスは、１つの無線フレームの時間長さをピリオドとして使用することによって図１０における様式で複数回にわたって第１のプリアンブルおよび第２のプリアンブルを繰り返し送信し得る。
【００８０】
最後に、端末デバイスによって送信された第１のプリアンブルをステップ４０３においてネットワークデバイスが受信した後に、ステップ４０４において、ネットワークデバイスは、第１のプリアンブルに基づいて端末デバイス上でアップリンク同期測定を実行する。アップリンク同期測定の具体的な内容は、本出願の実施形態においては限定されない。たとえば、端末デバイスによって送信された信号がネットワークデバイスに着信する実際の時間と、ネットワークデバイスによって予測された時間との間における差が測定され得、それによってネットワークデバイスは、その差に基づいて端末デバイスのためのアップリンク同期化を実行することが可能である。
【００８１】
第２のプリアンブルを受信しているときに、ネットワークデバイスは、同時に第２のプリアンブルに基づいて端末デバイス上でアップリンク同期測定を実行し得、２つのプリアンブルを使用することによって端末上でアップリンク同期化を実行して、それによって、アップリンク同期化のパフォーマンス上での周波数オフセットのインパクトを低減し、アップリンク同期化の精度を改善する。
【００８２】
図１１は、本出願の実施形態による端末デバイスの概略構造図である。この端末デバイスは、前述の方法実施形態における端末デバイスのアクションを実行するように構成され得る。端末デバイス１１００は、処理ユニット１１０１およびトランシーバユニット１１０２を含む。
【００８３】
処理ユニット１１０１は、第１のプリアンブルを搬送する第１のシンボルグループを生成するように構成されており、第１のシンボルグループは、シンボルの４つのグループを含む。
【００８４】
トランシーバユニット１１０２は、処理ユニット１１０１によって生成された第１のシンボルグループをアップリンクサブフレームのＫ個のグループにおいてネットワークデバイスへ送信するように構成されており、アップリンクサブフレームのＫ個のグループにおけるアップリンクサブフレームのどの２つのグループも隣り合っておらず、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である。
【００８５】
任意選択の実装においては、Ｋは２であり、
アップリンクサブフレームのＫ個のグループにおけるアップリンクサブフレームの各グループは、第１のシンボルグループにおけるシンボルの２つのグループを送信するために使用される。
【００８６】
任意選択の実装においては、Ｋは４であり、
アップリンクサブフレームのＫ個のグループにおけるアップリンクサブフレームの各グループは、第１のシンボルグループにおけるシンボルの１つのグループを送信するために使用される。
【００８７】
任意選択の実装においては、トランシーバユニット１１０２は、
第２のシンボルグループをアップリンクサブフレームのＫ個のグループにおいてネットワークデバイスへ送信するようにさらに構成されており、第２のシンボルグループは、第２のプリアンブルを搬送するために使用される。
【００８８】
任意選択の実装においては、第２のプリアンブルに対応する最初のサブキャリア番号と、第１のプリアンブルに対応する最初のサブキャリア番号との間における差は、プリセット値である。
【００８９】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【００９０】
図１２は、本出願の実施形態による端末デバイスの概略構造図である。この端末デバイスは、前述の方法実施形態における端末デバイスのアクションを実行するように構成され得る。端末デバイス１２００は、プロセッサ１２０１、トランシーバ１２０２、メモリ１２０３、および通信インターフェース１２０４を含む。プロセッサ１２０１、トランシーバ１２０２、メモリ１２０３、および通信インターフェース１２０４は、バス１２０５を使用することによって互いに接続されている。
【００９１】
プロセッサ１２０１は、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵおよびＮＰの組合せであり得る。プロセッサ１２０１は、ハードウェアチップをさらに含み得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組合せであり得る。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、またはそれらの任意の組合せであり得る。
【００９２】
メモリ１２０３は、揮発性メモリ（ｖｏｌａｔｉｌｅ  ｍｅｍｏｒｙ）、たとえば、ランダムアクセスメモリ（ｒａｎｄｏｍ−ａｃｃｅｓｓ  ｍｅｍｏｒｙ、ＲＡＭ）を含み得、またはこのメモリは、不揮発性メモリ（ｎｏｎ−ｖｏｌａｔｉｌｅ  ｍｅｍｏｒｙ）、たとえば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、もしくはソリッドステートドライブ（ｓｏｌｉｄ−ｓｔａｔｅ  ｄｒｉｖｅ、ＳＳＤ）を含み得、またはメモリ１２０３は、前述のタイプのメモリの組合せを含み得る。
【００９３】
通信インターフェース１２０４は、有線通信インターフェース、ワイヤレス通信インターフェース、またはそれらの組合せであり得る。有線通信インターフェースは、たとえば、イーサネットインターフェースであり得る。イーサネットインターフェースは、光インターフェース、電気インターフェース、またはそれらの組合せであり得る。ワイヤレス通信インターフェースは、ＷＬＡＮインターフェースであり得る。
【００９４】
バス１２０５は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、エクステンデッドインダストリースタンダードアーキテクチャー（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであり得る。このバスは、アドレスバス、データバス、制御バスなどへと分類され得る。表示を容易にするために、このバスは、図１２においては唯一の双頭矢印を使用することによって示されている。しかしながら、それは、１つのバスしかない、または１つのタイプのバスしかないということを示しているわけではない。
【００９５】
メモリ１２０３は、プログラム命令を格納するように構成され得る。プロセッサ１２０１は、メモリ１２０３に格納されているプログラム命令を呼び出し、前述の解決策において示されている実施形態、またはそれらの任意選択の実装における１つまたは複数のステップを実行し得、それによってアクセスネットワークノード１２００は、前述の方法における機能を実施する。
【００９６】
プロセッサ１２０１は、第１のプリアンブルを搬送する第１のシンボルグループを生成するように構成されており、第１のシンボルグループは、シンボルの４つのグループを含む。
【００９７】
トランシーバ１２０２は、処理ユニット１２０１によって生成された第１のシンボルグループをアップリンクサブフレームのＫ個のグループにおいてネットワークデバイスへ送信するように構成されており、アップリンクサブフレームのＫ個のグループにおけるアップリンクサブフレームのどの２つのグループも隣り合っておらず、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である。
【００９８】
任意選択の実装においては、Ｋは２であり、
アップリンクサブフレームのＫ個のグループにおけるアップリンクサブフレームの各グループは、第１のシンボルグループにおけるシンボルの２つのグループを送信するために使用される。
【００９９】
任意選択の実装においては、Ｋは４であり、
アップリンクサブフレームのＫ個のグループにおけるアップリンクサブフレームの各グループは、第１のシンボルグループにおけるシンボルの１つのグループを送信するために使用される。
【０１００】
任意選択の実装においては、トランシーバ１２０２は、
第２のシンボルグループをアップリンクサブフレームのＫ個のグループにおいてネットワークデバイスへ送信するようにさらに構成されており、第２のシンボルグループは、第２のプリアンブルを搬送するために使用される。
【０１０１】
任意選択の実装においては、第２のプリアンブルに対応する最初のサブキャリア番号と、第１のプリアンブルに対応する最初のサブキャリア番号との間における差は、プリセット値である。
【０１０２】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【０１０３】
図１３は、本出願の実施形態によるネットワークデバイスの概略構造図である。このネットワークデバイスは、前述の方法実施形態におけるネットワークデバイスのアクションを実行するように構成され得る。ネットワークデバイス１３００は、トランシーバユニット１３０１および処理ユニット１３０２を含む。
【０１０４】
トランシーバユニット１３０１は、アップリンクサブフレームのＫ個のグループにおいて端末デバイスによって送信された第１のシンボルグループを受信するように構成されており、アップリンクサブフレームのＫ個のグループにおけるアップリンクサブフレームのどの２つのグループも隣り合っておらず、第１のシンボルグループは、第１のプリアンブルを搬送するために使用され、第１のシンボルグループは、シンボルの４つのグループを含み、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である。
【０１０５】
処理ユニット１３０２は、第１のプリアンブルに基づいて端末上でアップリンク同期測定を実行するように構成されている。
【０１０６】
任意選択の実装においては、Ｋは２であり、
アップリンクサブフレームのＫ個のグループにおけるアップリンクサブフレームの各グループは、第１のシンボルグループにおけるシンボルの２つのグループを送信するために使用される。
【０１０７】
任意選択の実装においては、Ｋは４であり、
アップリンクサブフレームのＫ個のグループにおけるアップリンクサブフレームの各グループは、第１のシンボルグループにおけるシンボルの１つのグループを送信するために使用される。
【０１０８】
任意選択の実装においては、トランシーバユニット１３０１は、
アップリンクサブフレームのＫ個のグループにおいて第２のシンボルグループを受信するようにさらに構成されており、第２のシンボルグループは、第２のプリアンブルを搬送するために使用される。
【０１０９】
任意選択の実装においては、第２のプリアンブルに対応する最初のサブキャリア番号と、第１のプリアンブルに対応する最初のサブキャリア番号との間における差は、プリセット値である。
【０１１０】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【０１１１】
図１４は、本出願の実施形態によるネットワークデバイスの概略構造図である。このネットワークデバイスは、前述の方法実施形態におけるネットワークデバイスのアクションを実行するように構成され得る。ネットワークデバイス１４００は、プロセッサ１４０１、トランシーバ１４０２、メモリ１４０３、および通信インターフェース１４０４を含む。プロセッサ１４０１、トランシーバ１４０２、メモリ１４０３、および通信インターフェース１４０４は、バス１４０５を使用することによって互いに接続されている。前述のモジュールの具体的な内容に関しては、図１２における関連したモジュールの説明を参照されたく、詳細が本明細書で再び記述されることはない。
【０１１２】
メモリ１４０３は、プログラム命令を格納するように構成され得る。プロセッサ１４０１は、メモリ１４０３に格納されているプログラム命令を呼び出す。
【０１１３】
トランシーバ１４０２は、アップリンクサブフレームのＫ個のグループにおいて端末デバイスによって送信された第１のシンボルグループを受信するように構成されており、アップリンクサブフレームのＫ個のグループにおけるアップリンクサブフレームのどの２つのグループも隣り合っておらず、第１のシンボルグループは、第１のプリアンブルを搬送するために使用され、第１のシンボルグループは、シンボルの４つのグループを含み、アップリンクサブフレームのＫ個のグループにおけるアップリンクサブフレームの各グループは、少なくとも１つのアップリンクサブフレームを含み、アップリンクサブフレームのグループに含まれているアップリンクサブフレーム同士は、連続したサブフレームであり、Ｋは１よりも大きく４以下の正の整数である。
【０１１４】
プロセッサ１４０１は、第１のプリアンブルに基づいて端末上でアップリンク同期測定を実行するように構成されている。
【０１１５】
任意選択の実装においては、Ｋは２であり、
アップリンクサブフレームのＫ個のグループにおけるアップリンクサブフレームの各グループは、第１のシンボルグループにおけるシンボルの２つのグループを送信するために使用される。
【０１１６】
任意選択の実装においては、Ｋは４であり、
アップリンクサブフレームのＫ個のグループにおけるアップリンクサブフレームの各グループは、第１のシンボルグループにおけるシンボルの１つのグループを送信するために使用される。
【０１１７】
任意選択の実装においては、トランシーバ１４０２は、
アップリンクサブフレームのＫ個のグループにおいて第２のシンボルグループを受信するようにさらに構成されており、第２のシンボルグループは、第２のプリアンブルを搬送するために使用される。
【０１１８】
任意選択の実装においては、第２のプリアンブルに対応する最初のサブキャリア番号と、第１のプリアンブルに対応する最初のサブキャリア番号との間における差は、プリセット値である。
【０１１９】
任意選択の実装においては、第２のプリアンブルは、第１のプリアンブルとは異なり、プリアンブルセットから端末デバイスによってランダムに選択されるプリアンブルであり、プリアンブルセットは、少なくとも２つのプリアンブルを含み、プリアンブルセットにおけるプリアンブルは、ネットワークデバイスによって端末デバイス用に構成されている。
【０１２０】
本出願の方法実施形態同士の間における関連した部分に関しては、互いを参照されたい。それぞれの装置実施形態において提供されている装置は、対応する方法実施形態において提供されている方法を実行するように構成されている。したがって、それぞれの装置実施形態は、関連した方法実施形態における関連した部分を参照しながら理解され得る。
【０１２１】
前述の実施形態における方法のステップのうちのすべてまたはいくつかは、関連したハードウェアに指示するプログラムによって実施され得るということを当技術分野における標準的な技術者は理解することが可能である。そのプログラムは、磁気ディスクストレージ、または光メモリなど、デバイスの可読記憶媒体に格納され得る。そのプログラムが稼働されたときに、そのプログラムは、上述のステップのうちのすべてまたはいくつかを実行する。
【０１２２】
前述の特定の実装においては、本出願の目的、技術的な解決策、および利点が詳しくさらに記述されている。さまざまな実施形態が組み合わされることが可能であるということを理解されたい。前述の説明は、本出願の特定の実装にすぎないが、本出願の保護範囲を限定することを意図されているものではない。本出願の趣旨および原理から逸脱することなく行われるいかなる組合せ、修正、均等な置き換え、または改良も、本出願の保護範囲内に収まるものとする。
【図１】
2020530239.tif 000004
【図２】
2020530239.tif 000005
【図３】
2020530239.tif 000006
【図４】
2020530239.tif 000007
【図５】
2020530239.tif 000008
【図６】
2020530239.tif 000009
【図７】
2020530239.tif 000010
【図８】
2020530239.tif 000011
【図９】
2020530239.tif 000012
【図１０】
2020530239.tif 000013
【図１１】
2020530239.tif 000014
【図１２】
2020530239.tif 000015
【図１３】
2020530239.tif 000016
【図１４】
2020530239.tif 000017
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
端末デバイスによって、第１のプリアンブルを搬送する第１のシンボルグループを生成するステップであって、前記第１のシンボルグループは、シンボルの４つのグループを含む、ステップと、
前記端末デバイスによって、前記第１のシンボルグループをアップリンクサブフレームのＫ個のグループにおいてネットワークデバイスへ送信するステップであって、前記アップリンクサブフレームのＫ個のグループにおけるアップリンクサブフレームのどの２つのグループも隣り合っておらず、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、ステップと
を含む信号送信方法。
【請求項２】
前記端末デバイスによって、第２のシンボルグループを前記アップリンクサブフレームのＫ個のグループにおいて前記ネットワークデバイスへ送信するステップであって、前記第２のシンボルグループは、第２のプリアンブルを搬送するために使用される、ステップ
をさらに含む請求項１に記載の方法。
【請求項３】
前記第２のプリアンブルに対応する最初のサブキャリア番号と、前記第１のプリアンブルに対応する最初のサブキャリア番号との間における差は、プリセット値である請求項２に記載の方法。
【請求項４】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項２に記載の方法。
【請求項５】
Ｋは２であり、
前記アップリンクサブフレームのＫ個のグループにおけるアップリンクサブフレームの各グループは、前記第１のシンボルグループにおけるシンボルの２つのグループを送信するために使用される請求項１乃至４のいずれか一項に記載の方法。
【請求項６】
Ｋは４であり、
前記アップリンクサブフレームのＫ個のグループにおけるアップリンクサブフレームの各グループは、前記第１のシンボルグループにおけるシンボルの１つのグループを送信するために使用される請求項１乃至４のいずれか一項に記載の方法。
【請求項７】
前記アップリンクサブフレームのＫ個のグループにおけるアップリンクサブフレームのいずれかのグループに含まれているアップリンクサブフレームは、無線フレームにおける最初の５ｍｓ内にある少なくとも１つのアップリンクサブフレーム、または無線フレームにおける最後の５ｍｓ内にある少なくとも１つのアップリンクサブフレームを含む請求項１乃至４のいずれか一項に記載の方法。
【請求項８】
ネットワークデバイスによって、アップリンクサブフレームのＫ個のグループにおいて端末デバイスによって送信された第１のシンボルグループを受信するステップであって、前記アップリンクサブフレームのＫ個のグループにおけるアップリンクサブフレームのどの２つのグループも隣り合っておらず、前記第１のシンボルグループは、第１のプリアンブルを搬送するために使用され、前記第１のシンボルグループは、シンボルの４つのグループを含み、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、ステップと、
前記ネットワークデバイスによって、前記第１のプリアンブルに基づいて前記端末上でアップリンク同期測定を実行するステップと
を含む信号受信方法。
【請求項９】
前記ネットワークデバイスによって、前記アップリンクサブフレームのＫ個のグループにおいて第２のシンボルグループを受信するステップであって、前記第２のシンボルグループは、第２のプリアンブルを搬送するために使用される、ステップ
をさらに含む請求項８に記載の方法。
【請求項１０】
前記第２のプリアンブルに対応する最初のサブキャリア番号と、前記第１のプリアンブルに対応する最初のサブキャリア番号との間における差は、プリセット値である請求項９に記載の方法。
【請求項１１】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項９に記載の方法。
【請求項１２】
Ｋは２であり、
前記アップリンクサブフレームのＫ個のグループにおけるアップリンクサブフレームの各グループは、前記第１のシンボルグループにおけるシンボルの２つのグループを送信するために使用される請求項８乃至１１のいずれか一項に記載の方法。
【請求項１３】
Ｋは４であり、
前記アップリンクサブフレームのＫ個のグループにおけるアップリンクサブフレームの各グループは、前記第１のシンボルグループにおけるシンボルの１つのグループを送信するために使用される請求項８乃至１１のいずれか一項に記載の方法。
【請求項１４】
前記アップリンクサブフレームのＫ個のグループにおけるアップリンクサブフレームのいずれかのグループに含まれているアップリンクサブフレームは、無線フレームにおける最初の５ｍｓ内にある少なくとも１つのアップリンクサブフレーム、または無線フレームにおける最後の５ｍｓ内にある少なくとも１つのアップリンクサブフレームを含む請求項８乃至１１のいずれか一項に記載の方法。
【請求項１５】
第１のプリアンブルを搬送する第１のシンボルグループを生成するように構成されている処理ユニットであって、前記第１のシンボルグループは、シンボルの４つのグループを含む、処理ユニットと、
前記処理ユニットによって生成された前記第１のシンボルグループをアップリンクサブフレームのＫ個のグループにおいてネットワークデバイスへ送信するように構成されているトランシーバユニットであって、前記アップリンクサブフレームのＫ個のグループにおけるアップリンクサブフレームのどの２つのグループも隣り合っておらず、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、トランシーバユニットと
を備える端末デバイス。
【請求項１６】
前記トランシーバユニットは、
第２のシンボルグループを前記アップリンクサブフレームのＫ個のグループにおいて前記ネットワークデバイスへ送信するようにさらに構成されており、前記第２のシンボルグループは、第２のプリアンブルを搬送するために使用される請求項１５に記載の端末デバイス。
【請求項１７】
前記第２のプリアンブルに対応する最初のサブキャリア番号と、前記第１のプリアンブルに対応する最初のサブキャリア番号との間における差は、プリセット値である請求項１６に記載の端末デバイス。
【請求項１８】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項１６に記載の端末デバイス。
【請求項１９】
Ｋは２であり、
前記アップリンクサブフレームのＫ個のグループにおけるアップリンクサブフレームの各グループは、前記第１のシンボルグループにおけるシンボルの２つのグループを送信するために使用される請求項１５乃至１８のいずれか一項に記載の端末デバイス。
【請求項２０】
Ｋは４であり、
前記アップリンクサブフレームのＫ個のグループにおけるアップリンクサブフレームの各グループは、前記第１のシンボルグループにおけるシンボルの１つのグループを送信するために使用される請求項１５乃至１８のいずれか一項に記載の端末デバイス。
【請求項２１】
前記アップリンクサブフレームのＫ個のグループにおけるアップリンクサブフレームのいずれかのグループに含まれているアップリンクサブフレームは、無線フレームにおける最初の５ｍｓ内にある少なくとも１つのアップリンクサブフレーム、または無線フレームにおける最後の５ｍｓ内にある少なくとも１つのアップリンクサブフレームを含む請求項１５乃至１８のいずれか一項に記載の端末デバイス。
【請求項２２】
アップリンクサブフレームのＫ個のグループにおいて端末デバイスによって送信された第１のシンボルグループを受信するように構成されているトランシーバユニットであって、前記アップリンクサブフレームのＫ個のグループにおけるアップリンクサブフレームのどの２つのグループも隣り合っておらず、前記第１のシンボルグループは、第１のプリアンブルを搬送するために使用され、前記第１のシンボルグループは、シンボルの４つのグループを含み、前記アップリンクサブフレームのＫ個のグループにおけるアップリンクサブフレームの各グループは、少なくとも１つのアップリンクサブフレームを含み、アップリンクサブフレームの前記グループに含まれているアップリンクサブフレーム同士は、連続したサブフレームであり、Ｋは１よりも大きく４以下の正の整数である、トランシーバユニットと、
前記第１のプリアンブルに基づいて前記端末上でアップリンク同期測定を実行するように構成されている処理ユニットと
を備えるネットワークデバイス。
【請求項２３】
前記トランシーバユニットは、
前記アップリンクサブフレームのＫ個のグループにおいて第２のシンボルグループを受信するようにさらに構成されており、前記第２のシンボルグループは、第２のプリアンブルを搬送するために使用される請求項２２に記載のネットワークデバイス。
【請求項２４】
前記第２のプリアンブルに対応する最初のサブキャリア番号と、前記第１のプリアンブルに対応する最初のサブキャリア番号との間における差は、プリセット値である請求項２３に記載のネットワークデバイス。
【請求項２５】
前記第２のプリアンブルは、前記第１のプリアンブルとは異なり、プリアンブルセットから前記端末デバイスによってランダムに選択されるプリアンブルであり、前記プリアンブルセットは、少なくとも２つのプリアンブルを含み、前記プリアンブルセットにおける前記プリアンブルは、前記ネットワークデバイスによって前記端末デバイス用に構成されている請求項２３に記載のネットワークデバイス。
【請求項２６】
Ｋは２であり、
前記アップリンクサブフレームのＫ個のグループにおけるアップリンクサブフレームの各グループは、前記第１のシンボルグループにおけるシンボルの２つのグループを送信するために使用される請求項２２乃至２５のいずれか一項に記載のネットワークデバイス。
【請求項２７】
Ｋは４であり、
前記アップリンクサブフレームのＫ個のグループにおけるアップリンクサブフレームの各グループは、前記第１のシンボルグループにおけるシンボルの１つのグループを送信するために使用される請求項２２乃至２５のいずれか一項に記載のネットワークデバイス。
【請求項２８】
前記アップリンクサブフレームのＫ個のグループにおけるアップリンクサブフレームのいずれかのグループに含まれているアップリンクサブフレームは、無線フレームにおける最初の５ｍｓ内にある少なくとも１つのアップリンクサブフレーム、または無線フレームにおける最後の５ｍｓ内にある少なくとも１つのアップリンクサブフレームを含む請求項２２乃至２５のいずれか一項に記載のネットワークデバイス。
【請求項２９】
コンピュータ可読記憶媒体であって、前記コンピュータ可読記憶媒体は、コンピュータ可読命令を格納しており、前記コンピュータ可読命令がコンピュータによって読み取られ、実行されたときに、前記コンピュータは、請求項１乃至７のいずれか一項に記載の方法を実行することを可能にされる、コンピュータ可読記憶媒体。
【請求項３０】
コンピュータ可読記憶媒体であって、前記コンピュータ可読記憶媒体は、コンピュータ可読命令を格納しており、前記コンピュータ可読命令がコンピュータによって読み取られ、実行されたときに、前記コンピュータは、請求項８乃至１４のいずれか一項に記載の方法を実行することを可能にされる、コンピュータ可読記憶媒体。
【国際調査報告】
2020530239.tif 000018
2020530239.tif 000019
2020530239.tif 000020
2020530239.tif 000021